(57)【特許請求の範囲】
【請求項１】
給湯パイプの内空間にコイルを装着すると共にそのコイル内に帯状のネジリ板を装着するようにしてなる給湯パイプの乱流形成装置であって、前記ネジリ板には、そのネジリ板の端部の幅を他の部分の幅よりも広く構成するための手段として、端部の側壁にプレスによる長手方向の凹部を形成し、これによって前記ネジリ板を前記コイル内に装着したときに前記凹部を形成してなる広幅の端部がコイルに対してしまり嵌めとなるように構成してあることを特徴とする給湯パイプの乱流形成装置。
【発明の詳細な説明】
【０００１】
【発明の属する技術分野】
本発明は、例えば給湯機の熱交換器の一部を構成する給湯パイプ等の給湯パイプ内空間にコイルを装着すると共にそのコイル内に帯状のネジリ板を装着するようにしてなる給湯パイプの乱流形成装置に関する。
【０００２】
【従来の技術】
図７は従来の給湯パイプの乱流形成装置の一例を示し、（Ａ）は左側面図、（Ｂ）は一部断面正面図である。また図８は給湯パイプ内空間に構成された乱流形成装置を示す断面図である。
給湯パイプの３中に乱流形成装置を構成することで、給湯パイプ３内に乱流を発生させ、給湯パイプ３内での温水の沸騰現象を抑制することができる。
図７及び図８に示す従来例においては、ネジリ板１の長手方向の端部にスリット1aを形成し、このスリット1aをコイル２の末端部にカシメることで、ネジリ板１を固定し、これによりネジリ板１の回り止めをなしていた。
また図９は従来の給湯パイプの乱流形成装置の他の一例を示す。この例においては、ネジリ板１の端部1bの径がコイル２との関係において、しまり嵌めとなるように、そのネジリ板１の端部1bの寸法Ｗを正確に管理していた。
【０００３】
【発明が解決しようとする課題】
ところが上記、図７、図８に示す従来装置の場合には、カシメ部のガタが大きいため、使用時にネジリ板１に回転振動が発生し、このためネジリ板１に磨耗Ｓが発生する結果、ネジリ板１の一部1cが給湯パイプ３に接触して、該接触部を削る等の問題があった。
また、上記図９に示す従来装置の場合には、ネジリ板１の端部1bの寸法Ｗを、しまり嵌めとなるように厳密に管理する必要があるため、図10に示すようなロール材４を用いて、簡単に低コストでネジリ板１を得ることができない問題があった。
【０００４】
そこで本発明は、上記従来の給湯パイプの乱流形成装置の欠点を解消し、ロール材を用いて、これを適当な長さに切り取ってネジリ板とすることができ、しかも該ネジリ板を確実にコイルに固定して回り止めすることができる給湯パイプの乱流形成装置の提供を課題とする。
【０００５】
【課題を解決するための手段】
上記課題を達成するため、本発明の給湯パイプの乱流形成装置は、給湯パイプの内空間にコイルを装着すると共にそのコイル内に帯状のネジリ板を装着するようにしてなる給湯パイプの乱流形成装置であって、前記ネジリ板には、そのネジリ板の端部の幅を他の部分の幅よりも広く構成するための手段として、端部の側壁にプレスによる長手方向の凹部を形成し、これによって前記ネジリ板を前記コイル内に装着したときに前記凹部を形成してなる広幅の端部がコイルに対してしまり嵌めとなるように構成してあることを特徴としている。
【０００６】
【発明の実施の形態】
図１と図２に本発明の実施の形態の１例を示す。図１は、乱流形成装置の斜視図で、図２は給湯パイプ内に配置された乱流形成装置の一部断面正面図である。
【０００７】
図１、図２において、乱流形成装置は帯状のネジリ板10とコイル20とからなり、これらが給湯パイプ30の内空間に装着されている。
前記ネジリ板10は、その長手方向の端部に折り曲げ用片11が形成されており、、ネジリ板10をコイル20内に挿入した後、前記折り曲げ片11をコイル20の長手方向の端部21に対してカシメることで、前記ネジリ板10の固定がなされている。前記折り曲げ片11は必ずしも必要はない。要するにネジリ板10の長手方向の端部を折り曲げてコイル20の端部21にカシメることによって固定すればよい。
以上のようにして、ネジリ板10をその端部で確実にコイル20に対して固定することで、ネジリ板10の固定が確実になされ、給湯使用中においてもネジリ板10が振動したりするのを抑制することができる。よってネジリ板10による給湯パイプ30の損傷が防止される。またネジリ板10の端部をしまり嵌めの寸法に管理する必要がないので、ロール材から次々と切断してネジリ板10を容易に作製することができ、コストの低減を図ることができる。
【０００８】
本発明の実施の形態の第２の例を図３を参照して説明する。図３はネジリ板10の要部を示す図である。
この第２の例においては、ネジリ板10の長手方向の端部をプレスにより長手方向に切り欠いてなる切り欠き12を設け、これによって該端部の幅Ｗを広げている。これによってネジリ板10をコイル20内に装着した際に、前記切り欠かれた端部がコイル20に対してしまり嵌めとなるようにしている。
第２の例によれば、ネジリ板10をその端部でコイルに十分強固に固定し、確実に回り止めを行うことができると共に、ロール材からネジリ板10を容易に作製することができ、コストの低減を図ることができる。
【０００９】
本発明の実施の形態の第３の例を図４を参照して説明する。図４はネジリ板10の要部を示す図で、（Ａ）は正面図、（Ｂ）はＡ−Ａ断面図である。
この第３の例においては、ロール材から切断して加工したネジリ板10の端部の側壁に、プレスによる長手方向の凹部13を設け、該端部の幅Ｗを広げている。これによってネジリ板10をコイル20内に装着した際に、前記広げられた端部がコイル20に対してしまり嵌めとなるようにしている。
第３の例によれば、ロール材を用いてネジリ板10を作製しても、確実に回り止めを行うことができ、コストの低減を図ることができる。
【００１０】
本発明の実施の形態の第４の例を図５を参照して説明する。図５はネジリ板10の要部を示す図である。
この第４の例においては、ロール材から切断して加工したネジリ板10の端部の側壁に、プレスによる長手方向のスリット14を設け、該端部の幅Ｗを広げている。これによってネジリ板10をコイル20内に装着した際に、前記広げられた端部がコイル20に対してしまり嵌めとなるようにしている。
第４の例によれば、ロール材を用いてネジリ板10を作製し、且つ確実に回り止めを行うことができる。よって低コストで且つ給湯パイプ30が損傷するのを防止できる乱流形成装置を提供できる。
【００１１】
本発明の実施の形態の第５の例を図６を参照して説明する。図６はネジリ板10の要部を示す図で、（Ａ）は正面図で、（Ｂ）は右側面図である。
この第５の例においては、ロール材から切断して加工したネジリ板10の端部の側壁に、プレスによる長手方向のスリット14を設け、該端部の幅Ｗを広げた上に、前記スリット14を中心にネジリ板10の端部をくの字形に少し曲げることでバネ性を持たせており、これによってネジリ板10をコイル20内に装着した際に、前記広げられ且つくの字形に折り曲げられた端部がコイル20に対して確実に固定されるように構成されている。
第５の例によれば、ロール材を用いてネジリ板10を作製し、且つより確実に回り止めを行うことがでる。よって低コストで且つ給湯パイプ30が損傷するのを防止できる乱流形成装置を提供できる。
【００１２】
【発明の効果】
本発明は以上の構成よりなり、請求項１に記載の給湯パイプの乱流形成装置によれば、給湯パイプの内空間にコイルを装着すると共にそのコイル内に帯状のネジリ板を装着するようにしてなる給湯パイプの乱流形成装置であって、前記ネジリ板には、そのネジリ板の端部の幅を他の部分の幅よりも広く構成するための手段として、端部の側壁にプレスによる長手方向の凹部を形成し、これによって前記ネジリ板を前記コイル内に装着したときに前記凹部を形成してなる広幅の端部がコイルに対してしまり嵌めとなるように構成してあるので、
ロール材を用いてネジリ板を作製しても、確実に回り止めを行うことができ、コストの低減を図ることができる。
【図面の簡単な説明】
【図１】本発明の実施の形態の１例を示す乱流形成装置の斜視図である。
【図２】本発明の実施の形態の１例を示す乱流形成装置が給湯パイプ内に配置された状態を示す一部断面正面図である。
【図３】本発明の実施の形態の第２の例を示す乱流形成装置図のネジリ板の要部を示す正面図である。
【図４】本発明の実施の形態の第３の例を示す乱流形成装置のネジリ板の要部を示し、（Ａ）は正面図、（Ｂ）はＡ−Ａ断面図である。
【図５】本発明の実施の形態の第４の例を示す乱流形成装置のネジリ板の要部を示す正面図である。
【図６】本発明の実施の形態の第５の例を示す乱流形成装置のネジリ板の要部を示し、（Ａ）は正面図で、（Ｂ）は右側面図である。
【図７】従来の給湯パイプの乱流形成装置の一例を示し、（Ａ）は左側面図、（Ｂ）は一部断面正面図である。
【図８】給湯パイプ内空間に構成された乱流形成装置を示す断面図である。
【図９】従来の給湯パイプの乱流形成装置の他の一例を示す図である。
【図１０】ネジリ板に用いるロール材の一例を示す斜視図である。
【符号の説明】
10  ネジリ板
11  折り曲げ用片
12  切り欠き
13  凹部
14  スリット
20  コイル
21  端部
30  給湯パイプ
【図１】
0003757531.tif 000002
【図２】
0003757531.tif 000003
【図３】
0003757531.tif 000004
【図４】
0003757531.tif 000005
【図５】
0003757531.tif 000006
【図６】
0003757531.tif 000007
【図７】
0003757531.tif 000008
【図８】
0003757531.tif 000009
【図９】
0003757531.tif 000010
【図１０】
0003757531.tif 000011